【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
外層とアルミニウムからなる中間層と熱接着性樹脂からなる内層とを少なくとも有する矩形状の積層体の前記内層同士を重ね合わせて手前側の積層体と奥側の積層体と成し、
手前側の積層体の平面視状態における対向する一組の左右の側端縁の対向する位置で手前側及び奥側の積層体同士を熱接着して接合状態とすることにより少なくとも左右の側端縁熱接着部を形成し、
前記左の側端縁熱接着部から右の側端縁熱接着部にかけて設けられた開封手段により左右方向に引裂き開口した際に、引裂き開口部を形成する手前側と奥側の積層体の切断面の外郭とを異ならしめることで、引裂き開口部に段差を生じさせる包装袋であって、
前記開封手段は、左側の開封開始手段と、右側の開封開始手段と、これら左側と右側の開封開始手段に挟まれた段差形成手段とを備えており、
前記段差形成手段は、前記手前側の積層体の外層に形成された手前側の段差形成用切目線と、前記奥側の積層体の外層に形成された奥側の段差形成用切目線とを備えており、
前記手前側の段差形成用切目線は、左側の一点から分岐して右側の一点に収斂する上側に膨れる円弧状切目線と下側に膨れる円弧状切目線とを備えており、
前記奥側の段差形成用切目線は、前記手前側の段差形成用切目線の前記上側に膨れる円弧状切目線と前記下側に膨れる円弧状切目線との間と対応する位置を、左右方向に進行する一本の切目線を備えている、
ことを特徴とする包装袋。
【請求項２】
前記左側の開封開始手段は、
左の側端縁熱接着部を構成する手前側及び奥側の積層体を貫通し且つ左の側端縁熱接着部の外縁から左の側端縁熱接着部の内縁には達しない位置に形成された左側Ｉノッチと、
左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
左側Ｉノッチの右端より右方向に延ばした延長線が、手前左側の複数本の切目線うち最も外側に位置する２本の外側切目線の間の領域と交叉する位置に設けられており、
左側Ｉノッチの右端より右方向に延ばした延長線が、奥左側の複数本の切目線うち最も外側に位置する２本の外側切目線の間の領域と交叉する位置に設けられており、
前記右側の開封開始手段は、
右の側端縁熱接着部を構成する手前側及び奥側の積層体を貫通し且つ右の側端縁熱接着部の外縁から右の側端縁熱接着部の内縁には達しない位置に形成された右側Ｉノッチと、
右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
右側Ｉノッチの左端より左方向に延ばした延長線が、手前右側の複数本の切目線うち最も外側に位置する２本の外側切目線の間の領域と交叉する位置に設けられており、
右側Ｉノッチの左端より左方向に延ばした延長線が、奥右側の複数本の切目線うち最も外側に位置する２本の外側切目線の間の領域と交叉する位置に設けられている、
ことを特徴とする請求項１に記載の包装袋。
【請求項３】
前記左側の開封開始手段は、
左の側端縁熱接着部を構成する手前側及び奥側の積層体を貫通し且つ左の側端縁熱接着部の外縁の位置において幅が広い左端を備えるとともに左の側端縁熱接着部の内縁には達しない位置において幅が集約された右端を備える左側引裂開始領域と、
左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
左側引裂開始領域の右端より右方向に延ばした延長線が、手前左側の複数本の切目線うち最も外側に位置する２本の外側切目線の間の領域と交叉する位置に設けられており、
左側引裂開始領域の右端より右方向に延ばした延長線が、奥左側の複数本の切目線うち最も外側に位置する２本の外側切目線の間の領域と交叉する位置に設けられており、
前記右側の開封開始手段は、
右の側端縁熱接着部を構成する手前側及び奥側の積層体を貫通し且つ右の側端縁熱接着部の外縁の位置において幅が広い右端を備えると伴に右の側端縁熱接着部の内縁には達しない位置において幅が集約された左端を備える右側引裂開始領域と、
右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
右側引裂開始領域の左端より左方向に延ばした延長線が、手前右側の複数本の切目線うち最も外側に位置する２本の外側切目線の間の領域と交叉する位置に設けられており、
右側引裂開始領域の左端より左方向に延ばした延長線が、奥右側の複数本の切目線うち最も外側に位置する２本の外側切目線の間の領域と交叉する位置に設けられている
ことを特徴とする請求項１に記載の包装袋。
【請求項４】
前記左側の開封開始手段は、
左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線との組み合わせであり、
左側引裂開始領域が、手前左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
左側引裂開始領域が、奥左側の複数本の切目線のうち最も外側に位置する２本の外側切目線と、これら２本の外側切目線のそれぞれの左端から左方向に延びる二本の延長線と、左の側端縁熱接着部の外縁と、で囲まれた領域内に設けられており、
前記右側の開封開始手段は、
右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
右側引裂開始領域が、手前右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられており、
右側引裂開始領域が、奥右側の複数本の切目線のうち最も外側に位置する２本の外側切目線と、これら２本の外側切目線のそれぞれの右端から右方向に延びる二本の延長線と、右の側端縁熱接着部の外縁と、で囲まれた領域内に設けられている、
ことを特徴とする請求項１に記載の包装袋。
【請求項５】
前記左側の開封開始手段は、
左の側端縁熱接着部を構成する手前側及び奥側の積層体を貫通する傷痕群であって且つ左の側端縁熱接着部の外縁から左の側端縁熱接着部の内縁には達しない位置に形成された左側引裂き開始領域と、
左の側端縁熱接着部を構成する手前側の積層体の外層に形成された切目線であり且つ左の側端縁熱接着部の外縁から右方向に後退した位置から右方向に進行して近接するように延伸する手前左側の複数本の切目線と、
左の側端縁熱接着部を構成する奥側の積層体の外層に形成された切目線であり且つ左の側端縁熱接着部の外縁から右方向に後退した位置から右方向に進行して近接するように延伸する奥左側の複数本の切目線と、の組み合わせであり、
左側引裂開始領域が、手前左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
左側引裂開始領域が、奥左側の複数本の切目線のうち最も外側に位置する２本の外側切目線と、これら２本の外側切目線のそれぞれの左端から左方向に延びる二本の延長線と、これら２本の外側切目線のそれぞれの近接する右端同志をつないだ線と、左の側端縁熱接着部の外縁と、で囲まれた六角形状の領域内に設けられており、
前記右側の開封開始手段は、
右の側端縁熱接着部を構成する手前側及び奥側の積層体を貫通する傷痕群であって且つ右の側端縁熱接着部の外縁から右の側端縁熱接着部の内縁には達しない位置に形成された右側引裂き開始領域と、
右の側端縁熱接着部を構成する手前側の積層体の外層に形成された切目線であり且つ右の側端縁熱接着部の外縁から左方向に後退した位置から左方向に進行して近接するように延伸する手前右側の複数本の切目線と、
右の側端縁熱接着部を構成する奥側の積層体の外層に形成された切目線であり且つ右の側端縁熱接着部の外縁から左方向に後退した位置から左方向に進行して近接するように延伸する奥右側の複数本の切目線との組み合わせであり、
右側引裂開始領域が、手前右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられており、
右側引裂開始領域が、奥右側の複数本の切目線のうち最も外側に位置する２本の外側切目線と、これら２本の外側切目線のそれぞれの右端から右方向に延びる二本の延長線と、これら２本の外側切目線のそれぞれの近接する左端同志をつないだ線と、右の側端縁熱接着部の外縁と、で囲まれた六角形状の領域内に設けられている、
ことを特徴とする請求項１に記載の包装袋。
【請求項６】
前記手前側の段差形成用切目線は、
手前側の積層体の外層に形成された切目線であり且つ前記手前左側の複数本の切目線の近接した部分から前記手前側の段差形成用切目線の左側の一点に向かって右方向に進行する手前左側の一本の切目線と、
手前側の積層体の外層に形成された切目線であり且つ前記手前右側の複数本の切目線の近接した部分から前記手前側の段差形成用切目線の右側の一点に向かって左方向に進行する手前右側の一本の切目線と、をさらに備え、
前記奥側の段差形成用切目線は、
奥側の積層体の外層に形成された切目線であり且つ前記奥左側の複数本の切目線の近接した部分から前記奥側の段差形成用切目線の備える一本の切目線の左側の一点に向かって右方向に進行する奥左側の一本の切目線と、
奥側の積層体の外層に形成された切目線であり且つ前記奥右側の複数本の切目線の近接した部分から前記奥側の段差形成用切目線の備える一本の切目線の右側の一点に向かって左方向に進行する奥右側の一本の切目線と、をさらに備える、
ことを特徴とする請求項１から５のいずれかに記載の包装袋。
【請求項７】
前記前記奥左側の一本の切目線と、前記奥側の段差形成用切目線の備える一本の切目線と、前記奥右側の一本の切目線と、が同一直線状をなすように配置されている、
ことを特徴とする請求項６に記載の包装袋。
【請求項８】
前記奥左側の複数本の切目線は中央の一本を備える奇数本である、
ことを特徴とする請求項７に記載の包装袋。
【請求項９】
前記開封開始手段より下側の包装袋の内面の対向する位置に、相互に咬合し合う凸条の雄部材と凹条の雌部材とからなる合成樹脂製の咬合具が設けられ、
前記雄部材と前記雌部材とを咬合することで再封機能を備えることを特徴とする請求項１から８のいずれかに記載の包装袋。
【請求項１０】
前記手前側及び奥側の積層体はいずれも、中間層より内層側に配置された層は全て未延伸フィルムおよび／または未延伸樹脂層から構成されていることを特徴とする、
ことを特徴とする請求項１から９のいずれかに記載の包装袋。